(57)【要約】  鉤及び床設計ができ、スムースな着脱が可能で、装着後の安定感に富む義歯を製作する装置であり、基台テーブル2、歯型模型をセッティングする模型受台3、模型受台を基台テーブル上に角度調節設定して支持する模型受台支持手段4、模型受台上の歯型模型に対してサベイヤーラインを印記するサベイヤーライン印記手段5とを含み、模型受台支持手段が基台テーブル上に垂直にのびる第1の回転軸6に回転可能に支持され、基台テーブル上に平行にのびるＶ軸7を軸支するＶ軸回転テーブル8、Ｖ軸に回転可能に支持され、Ｖ軸に直交する第2の回転軸9を備えたＸ−Ｙ軸ベーステーブル10、第2の回転軸に軸支され、第2の回転軸に直交するＸ軸11を備えたＸ−Ｙ軸回転テーブル12、Ｘ軸に軸支され、Ｘ軸に直交するＹ軸13を備えたＹ軸ベーステーブル14、Ｙ軸の軸体15から径方向にのびるユニバーサルジョイント機構16により連結した模型受台支持プレート17とからなる。【特許請求の範囲】
【請求項１】
基台テーブルと、歯型模型をセッティングするための模型受台と、前記模型受台を前記基台テーブル上で、該基台テーブルに対して所望の角度位置に角度調節設定して支持する模型受台支持手段と、前記模型受台にセッティングされた歯型模型に対してサベイヤーラインを印記するためのサベイヤーライン印記手段とを含むサベイヤー装置であって、
前記模型受台支持手段が、前記基台テーブル上に垂直にのびる第１の回転軸によって回転可能に支持されていて、前記基台テーブル上に平行にのびるＶ軸を軸支するＶ軸回転テーブルと、前記Ｖ軸のまわりに回転可能に支持され、前記Ｖ軸に直交する第２の回転軸を備えたＸ−Ｙ軸ベーステーブルと、前記第２の回転軸に軸支され、前記第２の回転軸に直交するＸ軸を備えたＸ−Ｙ軸回転テーブルと、前記Ｘ軸に軸支され、前記Ｘ軸に直交するＹ軸を備えたＹ軸ベーステーブルと、前記Ｙ軸の軸体から径方向にのびるユニバーサルジョイント機構を介して連結されている模型受台支持プレートとからなることを特徴とする義歯設計用サベイヤー装置。
【請求項２】
前記基台テーブルに対して、前記第１の回転軸によって回転可能に支持されている前記Ｖ軸回転テーブルを０度設定位置と±θ度の角度範囲位置で固定する第１の固定手段と、前記Ｘ−Ｙ軸ベーステーブルに対して、前記第２の回転軸によって回転可能に支持されている前記Ｘ−Ｙ軸回転テーブルを０度設定位置と±θ度の角度範囲位置で固定する第２の固定手段とを設けたことを特徴とする請求項１に記載の義歯設計用サベイヤー装置。
【請求項３】
前記Ｖ軸回転テーブルに対し、前記Ｖ軸によって回転可能に支持されている前記Ｘ−Ｙ軸ベーステーブルを０度設定位置と±θ度の角度範囲に調節して設定する第１の角度設定調節機構と、前記Ｘ−Ｙ軸回転テーブルに対し、前記Ｘ軸によって回転可能に支持されている前記Ｙ軸ベーステーブルを０度設定位置と±θ度の角度範囲に調節して設定する第２の角度設定調節機構と、前記Ｙ軸ベーステーブルに対し、前記Ｙ軸の軸体を０度設定位置と±θ度の角度範囲に調節して設定する第３の角度設定調節機構とを設けたことを特徴とする請求項１あるいは請求項２に記載の義歯設計用サベイヤー装置。
【請求項４】
前記Ｖ軸における第１の角度設定調節機構が０度設定位置にあるとき、前記第２の回転軸のまわりに、前記Ｘ軸が、前記Ｖ軸に軸整合する角度位置と、前記Ｙ軸が、前記Ｖ軸に軸整合する角度位置との範囲で角度設定可能になしたことを特徴とする請求項１〜請求項３のいずれかに記載の義歯設計用サベイヤー装置。
【発明の詳細な説明】
【技術分野】
【０００１】
この発明は、歯科技工用の機械器具に係るものであって、特に、鉤設計（クラスプ設計）並びに床設計の双方を包括的に設計処理することができるようにしたものであり、スムースな着脱が可能であって、装着後における安定感のある義歯を製作するための設計を施す目的に使用される義歯設計用サベイヤー装置に関するものである。
【背景技術】
【０００２】
周知のように、歯科治療に関して、例えば、抜歯などで歯牙が欠損した場合、咀嚼機能や審美性を回復するために義歯を装着する必要がある。このような義歯は、その製作手順として、まず、患者の口腔内を印象採取し、採取した印象にもとづいて、石膏製の歯型模型を作成する作業工程を含んでいる。この歯型石膏模型は、患者の歯肉部分と、この歯肉部分からのびる健全な残存歯牙部分と、抜歯などによる歯牙欠損部の歯肉部とを極めて忠実に印象して再現したものからなっている。この歯型石膏模型にもとづいて、例えば、患者の欠損歯牙部分を補綴する義歯を作成する。【０００３】
従来、鉤を有する義歯を設計する場合において、装着後の安定感のある義歯を製作するためには、鉤は重要な構成部材であり、それゆえに鉤の設計は極めて重要である。一般的な鉤設計法として、従来の極めて単純な構成でなるサベイヤー装置を用いて、着脱方向を一方向で設計する方法が知られている。しかしながら、実際の臨床では、鉤歯と鉤歯の歯軸傾斜が異なるような場合とか、床と鉤の設計方向をそれぞれ別々に設定したい場合がある。これらの場合、例えば、同一出願人の開発にかかる特許文献１（特開平７−４７０８９号公開公報）および特許文献２（特開平９−２８９９９４号公開公報）により公開されている鉤設計用サベイヤー装置が使用されてきている。【０００４】
上記する特開平７−４７０８９号公開公報に記載のあるサベイヤー装置は、概略的には、〔Ｘ軸−Ｙ軸−模型（Ｘ−Ｙ−Ｍ）〕タイプの装置（以下、Ａ型のサベイヤー装置という）であって、角度目盛が付いたＸ軸およびＹ軸を回転させ、模型を傾斜させて、鉤外形線を表記するという鉤設計法を提案したものであった。さらに、上記する特開平９−２８９９９４号公開公報に記載のあるＢ型のサベイヤー装置は、Ｂ−１型のサベイヤー装置とＢ−２型のサベイヤー装置とを含むものである。特許文献２には、上記Ａ型のサベイヤー装置と、Ｂ型のサベイヤー装置との違いを詳細に述べている。上記Ｂ型のサベイヤー装置は、特許文献１に記載のサベイヤー装置（Ｘ−Ｙ−Ｍ）の構造に対して、Ｚ軸を追加するとともに、そのＺ軸と模型の作用原点Ｍとを整合させるＺ軸整合機構を設けることによって、鉤設計に方向性を持たすことが可能になり、審美的な鉤設計が可能になった。【０００５】
さらに、このＡ型のサベイヤー装置は、Ｘ軸およびＹ軸で最初の着脱方向の設定を兼ねていたので、Ｘ軸およびＹ軸のどちらか一方が傾いている場合の角度設定の誤差が生じていた。この点に関して、前記Ｂ−１型のサベイヤー装置は、図９Ａに、その概略を示すように、ユニバーサルジョイント機構をも追加してあるので、最初の着脱方向の設定を行うことにより、確実にＸ軸方向あるいはＹ軸方向に角度設定が可能となった。このＢ−１型のサベイヤー装置は、（Ｘ−Ｙ−Ｚ−Ｚ軸整合機構−Ｕ−Ｍ）によって構成されるものである。【０００６】
さらにまた、この特許文献２に記載のＢ型のサベイヤー装置は、Ｂ−２型のサベイヤー装置として改良が施され、図９Ｂに、その概略を示すように、回転軸Ｘ２および回転軸Ｙ２とユニバーサルジョイント機構Ｕとを追加することにより、模型を傾斜させて行う鉤設計法が、一方向でしか行えなかったのが、多方向で行うことができるようになった。このＡ−２型のサベイヤー装置は、（Ｘ１−Ｙ１−Ｚ−Ｚ軸整合機構−Ｙ２−Ｘ２−Ｕ−Ｍ）によって構成されるものである。【０００７】
【特許文献１】特開平０７−０４７０８９号公報（要約、図１）
【特許文献２】特開平０９−２８９９９４号公報（要約、図１〜図５）
【発明の開示】
【０００８】
そこで、この発明では、上記する従来技術の問題点を解消すべくなしたものであって、特に重要な要素は、そこで、今回、この発明において提案する新たなサベイヤー装置は、図１および図２に、その概略を示すように、〔基台テーブル−第１の回転軸−Ｖ（Ｘ−Ｙ）軸−第２の回転軸−Ｘ軸−Ｙ軸−ユニバーサルジョイント−平面変位継手手段−Ｍ〕として構成されるものであって、上記するＢ−２型のサベイヤー装置（Ｘ１−Ｙ１−Ｚ−Ｚ軸整合機構−Ｙ２−Ｘ２−Ｕ−Ｍ）と比べた場合、作用軸の数を減らしたにもかかわらず、同じ機能を有する装置を構成するものであり、上記で提案している鉤設計法と多方向設計の実行が可能であるとともに、単純な構造になったことにより、安価に商品化することができ、コンパクト化が可能であり、サベイヤーラインの印記作業の省力化において、極めて有効に作用する新たなサベイヤー装置を提供することにある。
【０００９】
この発明は、上記する目的を達成するにあたって、請求項１に記載の発明は、基台テーブルと、歯型模型をセッティングするための模型受台と、前記模型受台を前記基台テーブル上で、該基台テーブルに対して所望の角度位置に角度調節設定して支持する模型受台支持手段と、前記模型受台にセッティングされた歯型模型に対してサベイヤーラインを印記するためのサベイヤーライン印記手段とを含むサベイヤー装置であって、
前記模型受台支持手段が、前記基台テーブル上に垂直にのびる第１の回転軸によって回転可能に支持されていて、前記基台テーブル上に平行にのびるＶ軸を軸支するＶ軸回転テーブルと、前記Ｖ軸のまわりに回転可能に支持され、前記Ｖ軸に直交する第２の回転軸を備えたＸ−Ｙ軸ベーステーブルと、前記第２の回転軸に軸支され、前記第２の回転軸に直交するＸ軸を備えたＸ−Ｙ軸回転テーブルと、前記Ｘ軸に軸支され、前記Ｘ軸に直交するＹ軸を備えたＹ軸ベーステーブルと、前記Ｙ軸の軸体から径方向にのびるユニバーサルジョイント機構を介して連結されている模型受台支持プレートとからなることを特徴とする義歯設計用サベイヤー装置を構成するものである。
【００１０】
さらに、この発明において、請求項２に記載の発明は、請求項１に記載の義歯設計用サベイヤー装置であって、前記基台テーブルに対して、前記第１の回転軸によって回転可能に支持されている前記Ｖ軸回転テーブルを０度設定位置と±θ度の角度範囲位置で固定する第１の固定手段と、前記Ｘ−Ｙ軸ベーステーブルに対して、前記第２の回転軸によって回転可能に支持されている前記Ｘ−Ｙ軸回転テーブルを０度設定位置と±θ度の角度範囲位置で固定する第２の固定手段とを設けたことを特徴とするものである。
【００１１】
さらにまた、この発明において、請求項３に記載の発明は、請求項１あるいは請求項２に記載の義歯設計用サベイヤー装置であって、前記Ｖ軸回転テーブルに対し、前記Ｖ軸によって回転可能に支持されている前記Ｘ−Ｙ軸ベーステーブルを０度設定位置と±θ度の角度範囲に調節して設定する第１の角度設定調節機構と、前記Ｘ−Ｙ軸回転テーブルに対し、前記Ｘ軸によって回転可能に支持されている前記Ｙ軸ベーステーブルを０度設定位置と±θ度の角度範囲に調節して設定する第２の角度設定調節機構と、前記Ｙ軸ベーステーブルに対し、前記Ｙ軸の軸体を０度設定位置と±θ度の角度範囲に調節して設定する第３の角度設定調節機構とを設けたことを特徴とするものでもある。
【００１２】
さらにまた、この発明において、請求項４に記載の発明は、請求項１〜請求項３のいずれかに記載の義歯設計用サベイヤー装置であって、前記Ｖ軸における第１の角度設定調節機構が０度設定位置にあるとき、第２の回転軸のまわりに、前記Ｘ軸が、前記Ｖ軸に軸整合する角度位置と、前記Ｙ軸が、前記Ｖ軸に軸整合する角度位置との範囲で角度設定可能になしたことを特徴とするものでもある。
【図面の簡単な説明】
【００１３】
【図１】この発明になる義歯設計用サベイヤー装置の基本的な構成例を示すものであって、Ｖ（Ｘ−Ｙ）軸に対してＹ軸が軸整合している状態を示す概略的な斜視図である。
【図２】図１に示す状態から、Ｖ（Ｘ−Ｙ）軸に対してＸ軸が軸整合している状態へ移行した状態を示す概略的な斜視図である。
【図３】この発明になる義歯設計用サベイヤー装置の具体的な一実施例であって、当該義歯設計用サベイヤー装置の概略的な平面図である。
【図４】図３中、矢印ａの方向から見た概略的な正面図である。
【図５】図３中、矢印ｂの方向から見た概略的な左側面図である。
【図６】図６Ａは、歯型石膏模型Ｍを直接受けてセットするための模型受台の例を示す概略的な平面図であり、図６Ｂは、模型受台を平面変位継手手段を介して支持する支持テーブルの例を示す概略的な平面図であり、図６Ｃは、模型受台と支持テーブルとの間を平面変位可能で且つ固定可能な構成でなる平面変位継手手段の一例を示す概略的な側断面図である。
【図７】この発明になる義歯設計用サベイヤー装置におけるサベイヤーライン印記手段の具体的な構成例を示す概略的な一側面図である。
【図８】この発明になる義歯設計用サベイヤー装置により、サベイヤーラインを表記する実行例を説明するための歯型石膏模型を示す概略的な説明図である。
【図９】従来のサベイヤー装置の構成例を示すものであり、図９Ａは、従来のＢ−１型サベイヤー装置の概略的な斜視図、図９Ｂは、Ｂ−２型サベイヤー装置の概略的な斜視図である。
【符号の説明】
【００１４】
１  義歯設計用サベイヤー装置
Ｍ  歯型石膏模型
Ｍｏ  歯型石膏模型の鉤作用中心域
２  基台テーブル
３  模型受台
４  模型受台支持手段
５  サベイヤーライン印記手段
６  第１の回転軸
７  Ｖ軸（Ｘ方向、Ｙ方向を共用する軸）
８  Ｖ軸回転テーブル
９  第２の回転軸
１０  Ｘ−Ｙ軸ベーステーブル
１１  Ｘ軸
１２  Ｘ−Ｙ軸回転テーブル
１３  Ｙ軸
１４  Ｙ軸ベーステーブル
１５  Ｙ軸の軸体
１６  ユニバーサルジョイント機構
１７  模型受台支持プレート
１８  平面変位継手手段
１９  ０度設定位置
２０  ±θ度の角度範囲位置
２１  第１の固定手段
２２  ０度設定位置
２３  ±θ度の角度範囲位置
２４  第２の固定手段
２５  ０度設定位置
２６  ±θ度の角度範囲
２７  第１の角度設定調節機構
２８  ０度設定位置
２９  ±θ度の角度範囲
３０  第２の角度設定調節機構
３１  ０度設定位置
３２  ±θ度の角度範囲
３３  第３の角度設定調節機構
３４  ユニバーサル球体
３５  連結軸
３６  磁石
３７  歯型石膏模型セッティングプレート
３８  模型セッティング手段
３９  多数の孔
４０  一対の受けピン
４１  締め付けネジ
４２  締め付け部材
４３  ポール部材
４６  継ぎ手部
４７  アーム
４８  外筒体
４９  ペン部材
５０  磁気結合手段
５１  上部ノック
５２  印記芯体
【発明を実施するための最良の形態】
【００１５】
以下、この発明になる義歯設計用サベイヤー装置について、上記する図１〜図７に示す具体的な実施例に基づいて詳細に説明する。【００１６】
まず、この発明になる義歯設計用サベイヤー装置１の具体的な構成例について、図１〜図７にもとづいて説明する。上記する各図において詳細に示す通り、この発明になる義歯設計用サベイヤー装置１は、基台テーブル２と、歯型模型Ｍをセッティングするための模型受台３と、前記模型受台３を前記基台テーブル２上で、該基台テーブル２に対して所望の角度位置に角度調節設定して支持する模型受台支持手段４と、前記模型受台３にセッティングされた歯型模型Ｍに対してサベイヤーラインを印記するためのサベイヤーライン印記手段５とを含むものからなっている。【００１７】
この発明において、最も重要な要素である模型受台支持手段４は、前記基台テーブル２上に垂直にのびる第１の回転軸６によって回転可能に支持されていて、前記基台テーブル２上に平行にのびるＶ軸（Ｘ方向、Ｙ方向を共用する軸）７を軸支するＶ軸回転テーブル８と、前記Ｖ軸７のまわりに回転可能に支持され、前記Ｖ軸７に直交する第２の回転軸９を備えたＸ−Ｙ軸ベーステーブル１０と、前記第２の回転軸９に軸支され、前記第２の回転軸９に直交するＸ軸１１を備えたＸ−Ｙ軸回転テーブル１２と、前記Ｘ軸１１に軸支され、前記Ｘ軸１１に直交するＹ軸１３を備えたＹ軸ベーステーブル１４と、前記Ｙ軸１３の軸体１５から径方向にのびるユニバーサルジョイント機構１６を介して連結されている模型受台支持プレート１７と、前記模型受台支持プレート１７と前記模型受台３との間に設けた平面変位継手手段１８とからなっている。【００１８】
さらに、この発明において、前記模型受台支持手段４は、前記基台テーブル２に対して、前記第１の回転軸６によって回転可能に支持されている前記Ｖ軸回転テーブル８を０度設定位置１９と±θ度の角度範囲位置２０で固定する第１の固定手段２１と、前記Ｘ−Ｙ軸ベーステーブル１０に対して、前記第２の回転軸９によって回転可能に支持されている前記Ｘ−Ｙ軸回転テーブル１２を０度設定位置２２と±θ度の角度範囲位置２３で固定する第２の固定手段２４とを有するものからなっている。【００１９】
さらにまた、前記模型受台支持手段４は、前記Ｖ軸回転テーブル８に対し、前記Ｖ軸７によって回転可能に支持されている前記Ｘ−Ｙ軸ベーステーブル１０を０度設定位置２５と±θ度の角度範囲２６に調節して設定する第１の角度設定調節機構２７と、前記Ｘ−Ｙ軸回転テーブル１２に対し、前記Ｘ軸１１によって回転可能に支持されている前記Ｙ軸ベーステーブル１４を０度設定位置２８と±θ度の角度範囲２９に調節して設定する第２の角度設定調節機構３０と、前記Ｙ軸ベーステーブル１４に対し、前記Ｙ軸１３の軸体１５を０度設定位置３１と±θ度の角度範囲３２に調節して設定する第３の角度設定調節機構３３とを有するものからなっている。【００２０】
さらにまた、前記模型受台支持手段４は、前記Ｖ軸７における第１の角度設定調節機構２７が０度設定位置２５にあるとき、前記第２の回転軸９のまわりに、前記Ｘ軸１１が、前記Ｖ軸７に軸整合する角度位置と、前記Ｙ軸１３が、前記Ｖ軸７に軸整合する角度位置との範囲で角度設定可能なように構成されている。【００２１】
前記Ｖ軸回転テーブル８は、前記第１の回転軸６に回転可能に支持されている基部８ａと、前記基部８ａの両端部から上方に向けてのびる垂直立上がり部８ｂ、８ｂとからなっている。前記垂直立上がり部８ｂの上部側に、Ｖ軸７を構成する軸受け部８ｃが設けてあり、当該軸受け部８ｃの外周部には、Ｘ−Ｙ軸ベーステーブル１０をＶ軸７のまわりに回転させて回転角度を設定するための０度設定位置２５と±θ度の角度範囲２６の目盛が付してある。【００２２】
前記Ｘ−Ｙ軸ベーステーブル１０は、垂直上向きにのびる第２の回転軸９を備えた基部１０ａと、前記基部１０ａの両端部から上方に向けてのびる垂直立上がり部１０ｂ、１０ｂとからなっている。前記垂直立上がり部１０ｂの上部側に、Ｖ軸７を構成する軸受け部１０ｃが設けてあり、当該軸受け部１０ｃの外周部には、基準点目盛が付してある。図中、参照符号Ｒ１は、基準点変更用の目盛付リングであって、Ｖ軸７に対してフリーであり、止めネジ５３によってＶ軸７に固定することができるようになっている。第１の角度設定調節機構２７を構成する第１の操作ノブの操作によって、Ｖ軸回転テーブル８の軸受け部８ｃ、Ｘ−Ｙ軸ベーステーブル１０の軸受け部１０ｃを瞬時に回転可能に開放し、瞬時に固着することができるようになっている。【００２３】
前記Ｘ−Ｙ軸回転テーブル１２は、前記第２の回転軸９に回転可能に支持されている基部１２ａと、前記基部１２ａの両端部から上方に向けてのびる垂直立上がり部１２ｂ、１２ｂとからなっている。前記垂直立上がり部１２ｂの上部側に、Ｘ軸９を構成する軸受け部１２ｃが設けてあり、当該軸受け部１２ｃの外周部には、Ｙ軸ベーステーブル１４をＸ軸９のまわりに回転させて回転角度を設定するための０度設定位置２８と±θ度の角度範囲２９の目盛が付してある。【００２４】
前記Ｙ軸ベーステーブル１４は、基部１４ａと、前記基部１４ａの直交する端部から上方に向けてのびる垂直立上がり部１４ｂ１、１４ｂ２とからなっている。前記一方の垂直立上がり部１４ｂ１の上部側に、Ｘ軸１１を構成する軸受け部１４ｃが設けてあり、該軸受け部１４ｃの外周部には、基準点目盛が付してある。図中、参照符号Ｒ２は、基準点変更用の目盛付リングであって、Ｘ軸１１に対してフリーであり、止めネジ５４によってＸ軸１１に固定することができるようになっている。第２の角度設定調節機構３０を構成する第２の操作ノブの操作によって、Ｘ−Ｙ軸回転テーブル１２の軸受け部１２ｃ、Ｙ軸ベーステーブル１４の軸受け部１４ｃを瞬時に回転可能に開放し、瞬時に固着することができるようになっている。【００２５】
前記他方の垂直立上がり部１４ｂ２の上部側に、Ｙ軸１３を構成する軸受け部１４ｃが設けてあり、該軸受け部１４ｃの外周部には、基準点目盛が付してある。図中、参照符号Ｒ３は、基準点変更用の目盛付リングであって、Ｙ軸１３に対してフリーであり、止めネジ５５によってＹ軸１３に固定することができるようになっている。第３の角度設定調節機構３３を構成する第３の操作ノブの操作によって、Ｙ軸ベーステーブル１４の軸受け部１４c 、Ｙ軸の軸体１５を瞬時に回転可能に開放し、瞬時に固着することができるようになっている。【００２６】
一方、前記ユニバーサルジョイント機構１６において、ユニバーサル球体３４における連結軸３５の出力端側には、前記模型受台支持プレート１７が固着されている。一例において、前記模型受台支持プレート１７には、プレート表面側の平面性を確保した状態でなる磁石３６、３６が設けてある。これに対して、前記模型受台３は、磁性体金属材料でなる歯型石膏模型セッティングプレート３７と、歯型石膏模型Ｍを手際よくセットするに適した模型セッティング手段３８を含むものからなっている。前記模型セッティング手段３８は、前記歯型石膏模型セッティングプレート３７に設けてある多数の孔３９に対して適宜選択的に嵌め合わされる一対の受けピン４０、４０と、歯型石膏模型のサイドから締め付け可能な締め付けネジ４１を備えた締め付け部材４２とを含むものからなっている。【００２７】
前記平面変位継手手段１８は、磁石３６、３６を備えた模型受台支持プレート１７と、磁性体金属材料でなる歯型石膏模型セッティングプレート３７を備えた模型受台３とによって構成されており、前記模型受台支持プレート１７と模型受台３とは、任意に平面変位させた状態位置において磁力により磁力結合するようになっている。この平面変位継手手段１８は、上記する実施例にのみ限定されるものではなく、前記模型受台支持プレート１７と模型受台３の両者を平面的にスライド変位させて、所望の位置において固定することができる継手手段によって構成することもできる。【００２８】
一方、この発明装置において、前記サベイヤーライン印記手段５は、図４に示すように、前記基台テーブル２上に上方に向けてのびるポール部材４３と、前記ポール部材４３に取り付けられていて、自由に旋回可能な継ぎ手部４６によって組み立てられているアーム４７を含むものからなっている。図４に示す実施例において、前記サベイヤーライン印記手段５は、前記アーム４７に取り付けてある外筒体４８と、その内部において上下方向に移動が可能なペン部材４９とからなっていて、前記ペン部材４９は、前記外筒体４８に設けてある磁気結合手段５０によって、前記外筒体４８内にホールドされるようになっている。前記ペン部材４９は、上部ノック５１の操作により印記芯体５２が出没するような構成のものからなっている。【００２９】
他の例になるサベイヤーライン印記手段５は、図７に示す実施例にあって、基台テーブル２上に上方に向けてのびるポール部材４３を含むものからなっている。前記サベイヤーライン印記手段５は、図７に示すように、異なる二種類（５Ａおよび５Ｂ）のサベイヤーライン印記手段を併用するべく構成されているが、どちらか一方だけでもよい。第１のサベイヤーライン印記手段５Ａは、基本的には、印記芯体４４をＸ軸方向並びにＹ軸方向に分離して移動させ、それぞれ個別にロック可能な印記芯体作動機構４５を含むものからなっている。【００３０】
前記サベイヤーライン印記手段５Ａおよび５Ｂは、前記ポール部材４３に取り付けてられていて、自由に旋回可能な継ぎ手部４６によって組み立てられているアーム４７を含むものからなっている。【００３１】
次いで、この発明になる義歯設計用サベイヤー装置に関して、図８に示す症例、即ち、両側の歯牙[5][6][7] の欠損症例において、義歯の維持手段として両側の歯牙[4] に線鉤を施すこととし、その設計のうち鉤外形線を描く方法について、手順を追って説明する。
(1) 第１および第２の回転軸、Ｖ軸、Ｘ軸、Ｙ軸の各角度目盛が０であることを確認した後、歯型石膏模型Ｍを模型受台３固定し、歯型石膏模型Ｍを固定してある模型受台３を、平面変位継手手段１８の磁力によって、前記模型受台支持プレート１７上にセットする。この歯型石膏模型Ｍのセットは、当該歯型石膏模型Ｍの咬合平面が水平になるようにするとともに、歯型石膏模型Ｍの正中線ＣＬがＸ軸と平行になるように設定することが必要であり、願わくば、Ｘ軸上に設定することが、角度傾斜設定を行う本装置においては、設計の誤差を低減させ得る意味において重要である。この歯型石膏模型Ｍのセットは、まず第１に、平面変位継手手段１８によって模型受台支持プレート１７と模型受台３の両者を平面的にスライド変位させて仮設定し、第２に、ユニバーサルジョイント機構１６によって着脱方向の設定をし、第３に、前記第２の設定で変動した位置ずれ量を平面変位継手手段１８によって修正する。
(2) 歯型石膏模型Ｍの左右の鉤歯の歯軸や、アンダーカット領域および粘膜を観察してみて、左右バランスよくアンダーカットが捕らえられる基本設計方向ｄ１を設定する（図８参照）。右側[4] の鉤歯(a) は、咬合平面に垂直な設計方向ｄ１が望ましい基本設計方向であるが、左側[4] の鉤歯(b) は、近心に５度傾斜させた方向ｄ２が望ましいことがわかったので、それぞれの基本設計方向で行う多方向設計を行うことにする。
(3) 平面変位継手手段１８による操作で歯型石膏模型Ｍの鉤作用中心域ＭｏをＸ軸とＹ軸との交点に整合さす（図８参照）。
(4) Ｘ軸、Ｙ軸目盛を０度設定する。
(5) ｄ１の設計方向でサベイヤーラインＳＬ１を鉤歯(a)(b)に表記する。
(6) 鉤歯(a) の鉤外形線表記のために鉤作用方向Ａが、軸Ｎと直角交差するＡ’の方向になるようＺ軸を回転する。
(7) Ｎ軸を線鉤の鉤外形線を描くための所定の設定角度である１５度を矢印ｙａの方向に回転傾斜させて、サベイヤーラインＳＬ２を描く。このラインＳＬ２が鉤歯(a) の鉤外形線となる。
(8) 次に、鉤歯(b) の鉤外形線の表記の作業を行うが、基本設計方向がｄ２であるので、あらかじめ近心に５度傾斜させる必要があるので、Ｘ軸を５度矢印の方向に回転傾斜させる。
(9) 鉤歯(b) の鉤外形線表記のために鉤作用方向Ｂが、軸Ｎと直角交差するＢ’の方向になるようにＺ軸を回転する。
(10)Ｎ軸を線鉤の鉤外形線を描くための所定の設定角度である１５度を矢印ｙｂの方向に回転傾斜させて、サベイヤーラインＳＬ２’を描く。このラインＳＬ２’が鉤歯(b) の鉤外形線となる。
このようにして、左右の鉤歯の基本設計方向が異なる多方向設計による鉤設計が、この発明になる装置によって行うことができる。
【産業上の利用の可能性】
【００３２】
この発明になる義歯設計用サベイヤー装置は、概略、〔基台テーブル−第１の回転軸−Ｖ（Ｘ−Ｙ）軸−第２の回転軸−Ｘ軸−Ｙ軸−ユニバーサルジョイント−平面変位継手手段−Ｍ〕として構成したことにより、極めて簡単に且つ省力的な操作で、クラスプ並びに床を含む義歯のためのサベイングラインの印記が可能であって、それによる義歯の設計が可能であり、従来の方法による欠点並びに問題点を可及的に解消し、義歯を均一性高く製作し得るようになした点において、極めて有効に作用するものである。
【００３３】
さらにまた、この発明になる義歯設計用サベイヤー装置によれば、歯型石膏模型Ｍを、模型受台を介して、これを基台テーブル−第１の回転軸−Ｖ（Ｘ−Ｙ）軸−第２の回転軸−Ｘ軸−Ｙ軸−ユニバーサルジョイント−平面変位継手手段からなる模型受台支持手段により支持する構成としたものであって、Ｖ（Ｘ−Ｙ）軸、Ｘ軸、Ｙ軸をそれぞれ個別にロックして角度設定し得るようになした点において、歯型石膏模型Ｍを模型受台にセットした後、各軸毎に個別に回転操作でき且つ固定設定できるので、サベイングラインの印記作業の確実性並びに省力化に関して極めて有効に作用するものといえる。
【図１】
2007032484.tif 000002
【図２】
2007032484.tif 000003
【図３】
2007032484.tif 000004
【図４】
2007032484.tif 000005
【図５】
2007032484.tif 000006
【図６】
2007032484.tif 000007
【図７】
2007032484.tif 000008
【図８】
2007032484.tif 000009
【図９】
2007032484.tif 000010
【国際調査報告】
2007032484.tif 000011
2007032484.tif 000012
2007032484.tif 000013
2007032484.tif 000014